(57)【要約】      （修正有）【課題】持ち運びに便利で、しかも野外での仕様に適した携帯用クッションを提供する。【解決手段】この携帯用クッション１は折り畳み可能に接続された略長方形板状の２つのクッション体よりなり、それぞれのクッション体は略長方形板状のクッション材と、クッション材の外部の防水性カバーと、クッション体のいずれかの面に設けられた滑り止め部材６を有し、クッション体の辺部５において防水性カバー同士が接続されている。二つ折りに畳むことができ、コンパクトで持ち運びやすく、クッション材の外部に防水性カバーを有するので、柔らかいクッション材を使用でき、しかもぬれた場所でも使用できる。滑り止め部材６は、座面に対して携帯用クッション１がずれるのを防止する。【選択図】図１
0003169704.tif 000002
【実用新案登録請求の範囲】
【請求項１】
折り畳み可能に接続された略長方形板状の２つのクッション体よりなり、
それぞれのクッション体は略長方形板状のクッション材と、クッション材の外部の防水性カバーと、クッション体のいずれかの面に設けられた滑り止め部材を有し、
クッション体の辺部において防水性カバー同士が接続されている携帯用クッション。
【請求項２】
クッション体が接続された辺に対向する辺部において、取っ手およびクッション体同士を閉じ合わせる接続部材が設けられている請求項１に記載の携帯用クッション。
【考案の詳細な説明】
【技術分野】
【０００１】
この考案は、折り畳んで持ち運ぶことができるクッションに関する。
【背景技術】
【０００２】
野球やサッカーなどを観戦する場合、観客席のプラスティック製の固いいすに座ることになる。また、このような椅子は観客席の一部にしか設けられておらず、階段状のコンクリート席や、芝生の上に座る場合も多い。
【０００３】
そこで、観客はビニールシートを敷いて座ることが多い。しかし、このような薄いシートを固い座席に敷いても座り心地はよくない。相撲の会場などでは座布団が使用されるが、野球やサッカーなどの球場は野外であり、雨でぬれていれば座布団は湿ってしまう。また、観客席は混雑しており、大きな座布団を持ち運ぶのは不便であり、見た目もよくない。
【０００４】
特許文献１には、野球やラグビー、サッカー、スケート、スキー等のスポーツを座位状態で観戦するための携帯用折畳み式クッションとして、表面補強シートの一面に折畳み用溝を残してクッション平板を対称的に貼着してクッション体を得、クッション平板の外側面より表面補強シートの貼着面に至る切込みを切設し、またクッション平板の両面に表面補強シートを貼着し、クッション体の外側面両面から互い違いに対面する表面補強シートの貼着面に至る切込みを切設することが記載されている。
【先行技術文献】
【特許文献】
【０００５】
【特許文献１】特開平８−２８０４８６号公報
【考案の概要】
【考案が解決しようとする課題】
【０００６】
ビニールシートを敷いて座る場合、座面の固さや凹凸がそのまま使用者に感じられ、座り心地が悪く、長時間のスポーツ観戦などでは体が痛くなる。座布団であれば座り心地はよいが、大きくて持ち運びに不便であるとともに、見た目も悪く、屋外でのスポーツ観戦に使用する者はほとんどいない。
【０００７】
特許文献１のクッションは折り畳み式ではあるが４つ折りであり、折り畳み状態では分厚くなり、やはり持ち運びにくい。しかも、下側のクッション平板は滑りやすく、ぬれた状態のプラスティック製の椅子やコンクリートの上に敷いたときにずれたりしやすい。
【課題を解決するための手段】
【０００８】
上述の課題を解決するため、この考案の携帯用クッションは折り畳み可能に接続された略長方形板状の２つのクッション体よりなり、それぞれのクッション体は略長方形板状のクッション材と、クッション材の外部の防水性カバーと、クッション体のいずれかの面に設けられた滑り止め部材を有し、クッション体の辺部において防水性カバー同士が接続されている。さらに、この構成に加えてクッション体が接続された辺に対向する辺部に、取っ手およびクッション体同士を閉じ合わせる接続部材が設けることが好ましい。
【考案の効果】
【０００９】
この考案の携帯用クッションは略長方形板状の２つのクッション体よりなり、クッション体の辺部において防水性カバー同士が接続されているので二つ折りに畳むことができ、コンパクトで持ち運びやすい。クッション材の外部に防水性カバーを有するので、柔らかいクッション材を使用でき、しかもぬれた場所でも使用できる。クッション体が接続された辺に対向する辺部に取っ手およびクッション体同士を閉じ合わせる接続部材を設けることにより、持ち運び易さがさらに向上する。
【図面の簡単な説明】
【００１０】
【図１】携帯用クッションを示す斜視図である。
【図２】同断面図である。
【考案を実施するための形態】
【００１１】
この考案を実施するための形態について図面に基づいて説明する。図１携帯用クッションを示す斜視図、図２は同Ａ−Ａ断面図である。
【００１２】
この発明の携帯用クッション１は、折り畳み可能に接続された略長方形板状の２つのクッション体２よりなる。それぞれのクッション体２は、中に略長方形板状のクッション材３を有し、そのクッション材３の外部には防水性カバー４が設けられる。この２つのクッション体２の辺部５において、防水性カバー４同士が接続されている。クッション体２のいずれかの面において、防水性カバー４上に設けられた滑り止め部材６が設けられている。
【００１３】
クッション材３は弾性のある素材よりなり、たとえば、低反発ウレタンや高反発ウレタンなどが使用できる。接続部の辺部５に沿った長さは例えば２５〜３０ｃｍ、それに垂直な辺に沿った長さは例えば１７〜２５ｃｍとすると座る場所に敷くのに十分な広さになり、しかも持ち運びやすい。厚さは、例えば４〜６ｃｍとすると座り心地がよく、コンパクトで携帯しやすい。
【００１４】
防水性カバー４の素材としてはたとえば、ポリウレタンシートなどが使用できる。
【００１５】
滑り止め部材６の素材としてはたとえば、ウレタン系素材や天然ゴム系素材やシリコンゴム系素材などが使用できる。この例では、折り畳んだときに内側になる面に設けている。この面全体にとりつけてもよく、図１に示すようにスポット状に設けてもよい。また、滑り止め部材はプリントや吹き付け加工によって形成してもよい。
【００１６】
クッション体が接続された辺５に対向する辺部７において、取っ手８およびクッション体２同士を閉じ合わせる接続部材９が設けられている。ここでは、接続部材９として、一方のクッション体２ａには帯状部材１０が縫い付けられていて、その先端部には面ファスナ（図示省略）が設けられている。そしてこれに係合する面ファスナ１１が他方のクッション体２ｂに設けられている。
【００１７】
接続部の辺部５で２つのクッション体２を折り曲げると、半分の大きさに折り畳まれる。帯状部材１０の先端を面ファスナ１１に合わせることにより、二つ折りの状態を固定する。取っ手８があるので持ち運びに便利である。滑り止め部材６は折り畳まれた内側にあるので外部から見えない。外に現れる面には任意の着色やデザインを施すことができ、優れた外観にすることができる。
【００１８】
球場の観客席などに着いたら、帯状部材１０と面ファスナ１１を離すことにより、接続部材９を開放することができる。クッション体２を開けば２倍の広さになり、座るのに十分な面積である。
【００１９】
滑り止め部材６がある面を下にして敷き、その上に座ることができる。摩擦抵抗の高い滑り止め部材６があるので、このクッションは座面上でずれにくい。十分な厚さと弾性を有するクッション材３により座面の固さや凹凸が体に感じられず、長時間快適に座ることができる。雨水などで下がぬれていても、防水性カバー４に覆われているので中のクッション材４がぬれることはなく、また、使用者の体もぬれない。
【００２０】
そして、退出時には再びクッション体２を折り畳み、接続部材９により閉じ合わせれば、簡単に持ち出すことができる。
【符号の説明】
【００２１】
１．携帯用クッション
２．クッション体
３．クッション材
４．防水性カバー
５．接続部側の辺部
６．滑り止め部材
７．接続部側に対向した辺部
８．取っ手
９．接続部材
１０．帯状部材
１１．面ファスナ
【図１】
0003169704.tif 000003
【図２】
0003169704.tif 000004